(57)【要約】【課題】  大会社で使うような大規模の物品や情報の保管探索システムはあるが、家庭で使うような小規模の物品や情報の保管探索システムは無い。【解決手段】  物品名、この物品の属性及び物品を収納した容器に貼ったコードをデータベース化し、探索する物品名から容器に貼ったコードをデータベースから呼出し、携帯電話等が有するデコーダ機能により容器に貼ったコードとを比較させ、一致した時には信号を発生させる物品や情報の保管探索システム。【選択図】  図１
2007076916.tif 000002
【特許請求の範囲】
【請求項１】
コードを貼った物品を収納した容器と、物品の名前とその物品の属性データ及びその物品が収納されている容器に貼ったコードを記録したデータベースと、物品を収納した容器に貼ったコードを読むデコーダと、データベースに記録した探索する物品が収納されている容器に貼ったコードとデコーダで読み取ったコードとを照合する比較器と、一致した時には信号を発する信号発生装置とで構成されていることを特徴とする物品の保管場所探索システム。
【請求項２】
コードを貼った物品を収納した容器と、物品の名前とその物品の属性データ及びその物品が収納されている容器に貼ったコードを記録した携帯電話又は携帯情報端末のデータベースと、物品を収納した容器に貼ったコードを読む携帯電話、携帯情報端末のデコーダと、データベースに記録した探索する物品が収納されている容器に貼ったコードとデコーダで読み取ったコードとを照合する比較器と、一致した時には信号を発する信号発生装置で構成されていることを特徴としていることを特徴とする物品の保管場所探索システム。
【請求項３】
物品の属性データにその物品の期限を記録したデータベースと、期限を管理するスケジュール管理機能と、期限前に信号を発する警報発生装置とを備えた請求項１又は請求項２に記載した物品の保管場所探索システム。
【請求項４】
コードを貼ったＣＤ、ＤＶＤ等のメディアと、このメディアに記録した文書名、音楽の曲名等及びこのメディアに貼ったコードを記録したデータベースと、メディアに貼ったコードを読むデコーダと、データベースに記録した探索する文書名等が記録されているメディアに貼ったコードとデコーダで読み取ったコードとを照合する比較器と、一致した時には信号を発生する信号発生装置とで構成されていることを特徴とする文書等の保管探索システム。
【請求項５】
コードに貼ったＣＤ、ＤＶＤ等のメディアと、このメディアに記録した文書、音楽の曲名等及びこのメディアに貼ったコードを記録した携帯電話、携帯情報端末等のデータベースと、メディアに貼ったコードを読む携帯電話、携帯情報端末のデコーダと、データベース記録した探索する文書名が記録されているメディアに貼ったコードとデコーダで読み取ったコードとを照合する比較器と、一致した時には信号を発生する信号発生装置とで構成されていることを特徴とする文書等の保管探索システム。
【発明の詳細な説明】
【技術分野】
【０００１】  この発明は物品又は情報の保管場所探索システムに関する。
【背景技術】
【０００２】  仕事や遊び等何を行うにしても、その仕事等に必要な物品が何処にあるのかを把握しておくことは非常に重要なことである。必要な物品が何処にあるのかが分からないと、これを探すのに無駄な時間を消費するばかりでなく、ストレスにもなる。一般的な家庭でも生活を営んでいくために必要な物品の数は、数千にもなる、これを全部覚えておくことは不可能である。このため箱や袋等の容器に入れ、物品の名前を直接又はラベルに書いたり、デジタルカメラで写した写真を貼って、その中味を明らかにしている。ラベルや写真を見れば中味が分かり箱等を開けることなく、必要な物品を探すことが出来る。【０００３】  会社、特に多くの部品を抱える工場でも同じことが言える。製品を作るには数多くの部品及び工具を必要なときに使えるよう準備をしておかなければ予定がたたず、会社の存続にまで影響を与えることとなる。このために工場等非常に多くの部品や工具を必要とする所では、コンピュータを使用しその工場に適したプログラムを開発し、部品や工具の管理をしている。【０００４】  文書は書類の状態で保存するよりもＣＤ、ＤＶＤ等のメディアで保存した方が、場所を取らず、検索が容易なことから今日ではその多くがＣＤ等に保存されている。写真も同様であり、動画もＶＴＲより狭い場所に保管できる。メディアに直接又はこれに貼ったラベルに記録されている内容を記載しておけば、後になってもこれを読めば記録内容がわかる。
【発明の開示】
【発明が解決しようとする課題】
【０００５】
【０００６】  物品を入れた容器に直接又はラベルにこれら物品の名前を書いた場合でも、その容器を取り出し、物品の名前を読まなければその容器に何が収納されているのか分からない。又、物品の写真を貼る場合は、容器に多くの物品を収納した時には多くの手間を必要とする。冷蔵庫や冷凍庫に収納する食品等は、賞味期限がある。期限を記載しても賞味期限を確実に守るには、食品の容器に付されたラベル等を毎日のようにチェックしなければならない。大きな食品工場でも同様な問題を抱えているが、このような工場では前記したようにコンピュータを使用し、専用のプログラムで対処している。しかしこの方法を採用するには多額の費用を必要とし、規模が小さい家庭における食品の賞味期限を管理するには適してはおらず、参考にすることは出来ない。【０００７】  ＣＤ特にＤＶＤは記録容量が多く、これに数多くの文書や写真を記録させた場合、ＣＤやＤＶＤの大きさでは書く面積が少なく、あとで何が記録されているのかわからなくなっていた。
【課題を解決するための手段】
【０００８】
【０００９】  本発明は前記課題を解決するためになされたものであって、
その１として、コードを貼った物品を収納した容器と、物品名とその物品の属性データ及びその物品が収納されている容器に貼ったコードを記録したデータベースと、物品を収納した容器に貼ったコードを読むデコーダと、データベースに記録した探索する物品が収納されている容器に貼ったコードとを照合する比較器と、一致した時に信号を発する信号発生器とで構成されていることとし、
その２として、コードを貼った物品を収納した容器と、物品名とその物品の属性データ及びその物品が収納されている容器に貼ったコードを記録した携帯電話又は携帯情報端末のデータベースと、物品を収納した容器に貼ったコードを読む携帯電話又は携帯情報端末のデコーダと、データベースに記録した探索する物品が収納されている容器に貼ったコードとデコーダで読み取ったコードを照合する比較器と、一致した時信号を発生する信号発生器とで構成されていることとし、
その３として、その１及びその２で記載した物品の保管場所探索システムが物品の属性データにその物品の期限を記録したデータベースと、期限を管理するスケジュール管理機能と期限前に信号を発生する警報発生装置とで構成されていることとし、
その４として、コードを貼ったＣＤ、ＤＶＤ等のメディアと、このメディアに記録した文書名、音楽の曲名等及びこのメディアに貼ったコードを記録したデータベースと、メディアに貼ったコードを読むデコーダと、データベースに記録した探索する文書名が記録されているメディアに貼ったコードとデコーダで読み取ったコードとを照合する比較器と、一致した時信号を発生する信号発生器とで構成されていることとし、
その５として、コードに貼ったＣＤ、ＤＶＤ等のメディアと、このメディアに記録した文書、音楽の曲名等及びこのメディアに貼ったコードを読む携帯電話又は携帯情報端末のデコーダと、データベースに記録した探索する文書名が記録されているメディアに貼ったコードとデコーダで読み取ったコードとを照合する比較器と、一致した時に信号を発する信号発生器とで構成されていることとしている。
【発明の効果】
【００１０】  本発明は、安価で簡単に物品の収納場所を探すことが出来、一覧表をスクロールすることにより、いちいち収納箱等の容器のラベルを読むことなくどの容器にどのような物品が収納されているかを把握でき、いらいらすることなく短時間に探している物品を簡単な見つけることができる。又食品の賞味期限を簡単の管理できるので、期限経過による無駄が生じなくなる。更に転送することで、各人が物品に関するデータベースを共有することができる。【００１１】  ＣＤやＤＶＤにどのような文書、音楽の曲名、写真、映画等が記録されているかがすぐに分かり、探す手間を省くことができる。
【発明を実施するための最良の形態】
【実施例１】
【００１２】  以下本発明の実施例について、図面を使用し詳細に説明する。今日携帯電話は多機能となってきており、単に電話をするだけでなく、多くの人の名前、電話番号、住所、メールアドレス等を記録するアドレス帳、テレビ電話、メール機能、スケジュール管理等の他、二次元バーコードを読み取ることが出来るデコード機能を有しているものもある。アドレス帳として使用するには、記録した多くの名前を一覧表示し、探している人の名前をクリックすれば、その人の電話番号等が表示される等、携帯電話はデータベース機能を有しているのである。また、スケジュールの管理をすることが出来るものでは、予定日前に音で知らせてくれるものもある【００１３】  この実施例では携帯電話が有しているデータベース機能、デコード機能及びスケジュール管理機能を利用し、物品の収納場所を把握し、期限があるものについてはこの前に音等によりこれを知らせることとしている。【００１４】  携帯電話のこれらの機能を利用し、物品の保管場所探索システムについて図１、図２及び図３に示されているフローチャートに従って説明をする。物品をどのように保管するかについて図１のフローチャートを使用し説明をする。最初にコードが印刷されたラベルを入手する（１）。このコードにはバーコードや二次元バーコード等種々のものがあるが、貼り付け方向に依存せず、コード化できる内容が多く、汚れに強いことを考えるとＱＲコード（デンソウウェーブの登録商標）がこの実施例に示すコードに適している。ＱＲコードの入手方法は、パソコンでダウンロードしたプログラムを用いて自ら作成したり、購入しても良い。同じＱＲコードがダブらないようにする必要がある。箱や袋等の容器に物品を収納し（２）、物品を収納する容器には、コードが印刷されたラベルを貼る（３）。物品を収納した容器に貼ったラベルのＱＲコードを携帯電話により読み取り（４）、データベースに存在の有無を調べる（５）。なお、フローチャートに記載したあるＤＢは携帯電話のデータベースを意味する。ここでは収納容器に貼ったＱＲコードを最初に取り込むのであるから、データベースには無く、新規に登録されることとなる（６）。登録しない場合はここで完了となる（１１）。【００１５】  ＱＲコードを登録した後に、ＱＲコードを貼った容器に収納した物品の名前、所有者、数、サイズ、賞味期限等の属性データを、携帯電話のキーから入力して（７）、保存する（１０）。属性データとして物品の特徴等を音声（サウンド）を記録したもの、カメラで撮影した画像等もリンクできるようにすることにより更に詳しい情報をもたせることができる。この記録した音声とリンクする機能と相俟って、データベース読上げ機能をもった携帯電話の場合は視覚障害者でも物品の探索が容易に出来るようになる利点もある。ＱＲコード、これとリンクさせた物品の名前及びその物品の属性データで一つのレコードが形成される。容器に収納される物品全てについてこれを行う。物品を収納する容器が複数ある場合は、容器全部について前記入力作業を繰り返す。この作業が完了（１１）すれば、容器に収納された全ての物品についてのデータベースが構築されたことになる。【００１６】  既に物品を収納した容器に新た��物品を追加収納する場合がある。この場合も追加した物品名及びこれらの属性をデータベースに書き込まなければならない。この場合、フローチャートの携帯電話のデータベースに追加収納する容器に貼ったＱＲコードが存在するか？（５）から始まる。収納容器に貼ったラベルのＱＲコードはデータベースに書き込まれているから編集するか（８）に進む。追加収納した物品のデータベースを書き込むのであれば、物品名及びこの属性等をキー入力し、編集し（９）、保存し（１０）、完了（１１）する。【００１７】  次に必要な物品を探す動作について図２のフローチャートに従って説明をする。最初に探索する物品の名前をリストアップ、スクロール等を行って、物品の名前を呼び出し（２０）、これとリンクしたＱＲコードを呼び出す（２１）。次にデコード機能を働かせ、携帯電話を物品が収納されている容器に貼ったＱＲコードに向け（２２）、容器に貼ったＱＲコードを読む（２３）。容器に貼ったＱＲコードが登録（２４）されていないものであれば、ここで光や音等のアラーム信号を発生（２５）させる。登録済みの物はデータベースから呼び出したＱＲコードと、デコーダで読み込んだＱＲコードとの一致、不一致を比較させる（２７）。デコーダで読み込んだＱＲコードと、データベースから呼び出されたＱＲコードが一致した場合には、光の点滅、音或は振動等の信号を発生させる（２８）。これらの信号が発生した場合には、探している物品は読ませたＱＲコードが貼られている容器に収納されていることになり、探索作業は終了する（２９）。デコーダで読み込んだＱＲコードとデータベースから呼び出されたＱＲコードが不一致の場合は、デコーダを他の容器に貼られているＱＲコードに向け（２２）に戻り、これを読み込み（２３）、これらの比較（２４）作業が一致されるまで繰り返される。【００１８】  ＱＲコードが貼ってある容器に何が収納されているのかを知るには、これに携帯電話を向け（２２）、ＱＲコードを読む（２３）。ＱＲコードが登録してなければアラーム（２５）が働くが、登録されている場合には、データベースに記録されている物品名やその属性が表示（２６）される事となる。棚卸や何が入っているかを、容器を開けずに順番に見ていく場合に使える。【００１９】  容器に貼られているラベルのＱＲコードを携帯電話に読ませ、携帯電話に呼び出しているＱＲコードと比較させる手続きは短時間であり、人間のように読み間違うことが非常に少ない。従って探したい物品を短時間に、確実に見つけることが出来る。【００２０】  次に期限管理について図３のフローチャートを使用し説明をする。冷蔵庫や冷凍庫に収納されている食品は、期間が経過するほど新鮮さは失われ、ある期間が経過すると食べるには適さないこととなる。パックされている食品には、いつまでに食べて欲しいかの目安として、賞味期間が明示されている。しかし、冷蔵庫等に収納した食品全てについて、賞味期限を毎日チェックすることは非常に面倒な作業である。そこで携帯電話が持っているスケジュール機能を働かせ、期限管理を行わせるのである。【００２１】  前記したように携帯電話のキーで、物品の名前等を入力するときにその物品の属性も同時に行うが、ここに賞味期限���例えば９月１０日と入力する。携帯電話のスケジュール管理により９月１０日の前日又は前前日になったときに該当物品に警告信号表示する（３５）。以下、この警告信号が発生した物品を図２のフローチャートで探すこととする（３６）。【００２２】  この信号により賞味期限を確実に知ることができ、廃棄する等の無駄を省くことができる。【００２３】  前記実施例では携帯電話の機能を利用した物品の保管探索システムについて説明をしたが、これらの機能は携帯情報端末も有しており、携帯電話のみでなく携帯情報端末を使用しても良い。又、実施例では主に家庭における物品の保管検索システムに着いて説明したが、会社でも利用することはできる。【００２４】  デジタル技術は年々進歩しており、これを記録するメディアもフロッピー、コンパクトディスク（ＣＤ）、デジタルビデオディスク（ＤＶＤ）の順に記録容量も飛躍的に多くなってきている。例えばフロッピーの場合記録容量が少ないから、何が記録されているかをラベルに記載しフロッピーに貼っておけば、ラベルを読めば記録内容を全てがわかる。映画１本を１枚のＣＤ、ＤＶＤに録画する場合にはその映画の題名をラベルに書き、これを貼っておけばＣＤ等に記録されている内容はすぐに分かる。しかし、ＣＤ特にＤＶＤにはページ数が少ないものであれば、何百、何千もの文書を記録しておくことができる。ＣＤやＤＶＤは小さく何百、何千もの文書名をこの表面に記載するとは可能であっても、読むことはできず、役には立たない。【００２５】  ＣＤ、ＤＶＤを前記実施例でいえば物品を入れる箱や袋等の容器であり、これらに記録する文書、写真、映画等を容器に入れる物品と考える。文書、写真や映画を記録したＣＤやＤＶＤにＱＲコードを表したラベルを貼る。このＱＲコードを携帯電話のデコーダで読み、データベースに取り込む。このデータベースのレコードには、文書名、写真名や映画の題名等を入力する。ここに文書や写真の属性データを書き込んでも良い。全部のＣＤ、ＤＶＤに記録されている文書等について前記作業が終了すると、文書等のデータベースが出来上がる。【００２６】  次にＣＤ、ＤＶＤに記録されている文書等を検索する場合について説明をする。
文書名等を一覧表示等の機能により探し、これが記録されているＣＤ、ＤＶＤに貼られているＱＲコードをデータベースから呼び出す。【００２７】  携帯電話のデコーダ機能により、ＣＤ、ＤＶＤに貼ってあるＱＲコードを読み、データベースから呼び出したＱＲコードと照合する。ＣＤ、ＤＶＤコードに貼ってあるＱＲコードと、データベースから呼び出したＱＲコードが一致した時には、デコーダで読み取ったＱＲコードが貼ってあるＣＤ、にＤＶＤに探している文書が記録されていることになる。一致した時には、前記実施例と同様に信号を発することとしている。【００２８】  ＩＣタグを使用しても前記実施例と同じ効果が得られる。しかし、ＩＣタグは電波で書込み、呼出を行っており、自作可能なコードを表したラベルと比較すると面倒であり、高価であることが欠点となる。
【図面の簡単な説明】
【００２９】
【図１】  入力時のフローチャート
【図２】  探索時のフローチャート
【図３】  期限管理時のフローチャート
【図１】
2007076916.tif 000003
【図２】
2007076916.tif 000004
【図３】
2007076916.tif 000005